(57)【特許請求の範囲】
【請求項１】
物品支持用の支持棚が、当該支持棚における棚前後方向の前端部及び後端部に設けられた一対の水平材と、前記一対の水平材に亘って設置された支持体とを備えている物品収納棚であって、
前記棚前後方向に沿う一方の向きを第１方向とし、前記棚前後方向に沿う他方の向きを第２方向として、
前記支持体が、前記棚前後方向の両端部に、前記一対の水平材の夫々における被係合部に対して上方側から係合する係合部を備え、且つ、前記棚前後方向の一端部における前記係合部より先端側の箇所に接当部を備えて構成され、
前記一対の水平材のうちの前記第１方向側の前記水平材が、前記支持体を挿入用傾斜姿勢とした状態で当該支持体における前記第１方向側の端部を斜め上方から挿入自在に形成され且つ上下方向での大きさが水平姿勢の前記支持体における前記第１方向側の端部の上下幅より小さく形成された開口部と、前記支持体における前記第１方向側の端部を前記開口部に挿入した状態で前記支持体を前記挿入用傾斜姿勢から前記水平姿勢に姿勢変更させるに伴って前記係合部が係合し且つ当該係合により前記支持体の水平方向への移動を規制する前記被係合部と、前記被係合部に前記係合部が係合した状態で前記接当部が下方から接当することで前記支持体の上方への移動を規制する被接当部とを備えて構成され、
前記支持体が、互いに対向する上下方向に沿う一対の縦面部とそれら一対の縦面部の間に位置して装着状態において水平方向に沿う横面部とを備えて、前記支持体の長手方向視で下方に開口するコ字状に形成され、
前記一対の縦面部の夫々における前記第１方向側の端部に、前記係合部及び前記接当部を備え、
前記第１方向側の前記水平材が、その上端面から第２方向側に向けて下方に傾斜する傾斜面を備え、
前記横面部の前記第１方向側の端部に、前記支持体を前記挿入用傾斜姿勢で前記支持体の前記第１方向側の端部となる前記縦面部の前記第１方向側の端部を前記開口部に挿入した挿入状態で前記第１方向側の前記水平材の前記傾斜面に接当して前記支持体の更なる挿入を規制する接当規制部を備え、
前記一対の水平材の夫々における前記被係合部が、前記支持体を前記挿入用傾斜姿勢から前記水平姿勢に姿勢変更されるに伴って前記接当規制部が前記傾斜面に支持されている状態で前記支持体の前記第１方向側の前記係合部が前記第１方向側の前記水平材の前記被係合部に係合し且つ前記支持体の前記第２方向側の前記係合部が前記第２方向側の前記水平材の前記被係合部に係合する形状に形成されている物品収納棚。
【請求項２】
前記支持体が、板状体を屈曲形成して前記棚前後方向視で下方が開放されたコ字状に形成されている請求項１記載の物品収納棚。
【請求項３】
前記支持体が、棚横幅方向の幅が支持する物品の横幅より小さく形成され、
前記支持棚が、棚横幅方向に隣接する前記支持体同士の間隔が支持する物品の横幅より狭い間隔で前記支持体を棚横幅方向に複数並設して、複数の前記支持体により物品を支持するように構成されている請求項１又は２記載の物品収納棚。
【請求項４】
前記水平材が、前記開口部、前記被係合部及び前記被接当部の夫々を棚横幅方向に複数備え、前記支持体を棚横幅方向の任意の箇所に設置自在に構成されている請求項３記載の物品収納棚。
【請求項５】
前記支持棚が、当該支持棚の前方側を棚横幅方向に沿って走行移動する状態で上下方向に複数設けられた物品搬送台車の夫々に対応する状態で、上下方向に複数設けられ、
前記一対の水平材の一方が、棚横幅方向視で前記棚前後方向の前方側が開放されたコ字状に形成されて前記支持棚の前端部に設けられ、且つ、前記被係合部に係合した前記係合部より下方に、前記物品搬送台車に対して電力を供給する給電線が設けられている請求項１〜４のいずれか１項に記載の物品収納棚。
【発明の詳細な説明】
【技術分野】
【０００１】
本発明は、物品支持用の支持棚が、当該支持棚における棚前後方向の前端部及び後端部に設けられた一対の水平材と、前記一対の水平材に亘って設置された支持体とを備えている物品収納棚に関する。
【背景技術】
【０００２】
かかる物品収納棚は、支持体にて物品を載置支持した状態で物品を収納するように構成されている。
そして、このような物品収納棚において、従来では、支持体が、棚前後方向の両端部に外補強材を備え、一対の水平材の夫々に舌片を備えて、支持体の外補強材を水平材の舌片に載置支持させた状態で連結具により互いに固定させているものがある（例えば、特許文献１参照。）。
また、引用文献１には明記されていないが、固定具にて支持体を水平材に固定する場合、支持体及び水平材には固定具を挿通させるための挿通孔が形成されている。
【先行技術文献】
【特許文献】
【０００３】
【特許文献１】特開平１１−２６６９３８号公報
【発明の概要】
【発明が解決しようとする課題】
【０００４】
しかしながら、上記した従来の物品収納棚では、連結具を用いて支持体を水平材に連結しているため、支持体の挿通孔と水平材の挿通孔とを位置合わせさせた状態で、連結具にて連結固定する必要がある。そのため、支持体が水平材に対して水平方向に移動することや上方へ移動することを規できるものの、支持体を連結具にて連結固定する必要があるため支持体の設置が煩わしいものであった。
【０００５】
本発明は、上記実状に鑑みて為されたものであって、その目的は、支持体の水平方向への移動や上方への移動を規制できる状態に支持体を容易に設置できる物品収納棚を提供する点にある。
【課題を解決するための手段】
【０００６】
本発明にかかる物品収納棚は、物品支持用の支持棚が、当該支持棚における棚前後方向の前端部及び後端部に設けられた一対の水平材と、前記一対の水平材に亘って設置された支持体とを備えているものであって、その第１特徴構成は、
前記棚前後方向に沿う一方の向きを第１方向とし、前記棚前後方向に沿う他方の向きを第２方向として、
前記支持体が、前記棚前後方向の両端部に、前記一対の水平材の夫々における被係合部に対して上方側から係合する係合部を備え、且つ、前記棚前後方向の一端部における前記係合部より先端側の箇所に接当部を備えて構成され、
前記一対の水平材のうちの前記第１方向側の前記水平材が、前記支持体を挿入用傾斜姿勢とした状態で当該支持体における前記第１方向側の端部を斜め上方から挿入自在に形成され且つ上下方向での大きさが水平姿勢の前記支持体における前記第１方向側の端部の上下幅より小さく形成された開口部と、前記支持体における前記第１方向側の端部を前記開口部に挿入した状態で前記支持体を前記挿入用傾斜姿勢から前記水平姿勢に姿勢変更させるに伴って前記係合部が係合し且つ当該係合により前記支持体の水平方向への移動を規制する前記被係合部と、前記被係合部に前記係合部が係合した状態で前記接当部が下方から接当することで前記支持体の上方への移動を規制する被接当部とを備えて構成され、
前記支持体が、互いに対向する上下方向に沿う一対の縦面部とそれら一対の縦面部の間に位置して装着状態において水平方向に沿う横面部とを備えて、前記支持体の長手方向視で下方に開口するコ字状に形成され、
前記一対の縦面部の夫々における前記第１方向側の端部に、前記係合部及び前記接当部を備え、
前記第１方向側の前記水平材が、その上端面から第２方向側に向けて下方に傾斜する傾斜面を備え、
前記横面部の前記第１方向側の端部に、前記支持体を前記挿入用傾斜姿勢で前記支持体の前記第１方向側の端部となる前記縦面部の前記第１方向側の端部を前記開口部に挿入した挿入状態で前記第１方向側の前記水平材の前記傾斜面に接当して前記支持体の更なる挿入を規制する接当規制部を備え、
前記一対の水平材の夫々における前記被係合部が、前記支持体を前記挿入用傾斜姿勢から前記水平姿勢に姿勢変更されるに伴って前記接当規制部が前記傾斜面に支持されている状態で前記支持体の前記第１方向側の前記係合部が前記第１方向側の前記水平材の前記被係合部に係合し且つ前記支持体の前記第２方向側の前記係合部が前記第２方向側の前記水平材の前記被係合部に係合する形状に形成されている点にある。
【０００７】
すなわち、支持体を設置する場合は、支持体を挿入用傾斜姿勢とした状態で、支持体の前端部を一方の水平材の開口部に斜め上方から挿入した後、支持体を挿入用傾斜姿勢から水平姿勢に姿勢変更させる。
このように支持体を水平姿勢に姿勢変更させることで、支持体の前端部に備えられている係合部が一方の水平材の被係合部に係合し、支持体の後端部に備えられている係合部が他方の水平材の被係合部に係合して、支持体を一対の水平材に亘る状態で設置することができる。
そして、このように設置した状態では、支持体は、係合部が一方の水平材の被係合部に係合することで、支持体が水平材に対して水平方向に移動することが規制され、接当部が一方の水平材の被接当部に接当することで、支持体が一方の水平材に対して上方に移動することが規制される。
【０００８】
このように、支持体を挿入用傾斜姿勢とした状態で支持体の前端部を一方の水平材の開口部に斜め上方から挿入した後、支持体を挿入用傾斜姿勢から水平姿勢に姿勢変更するだけで、支持体の水平方向の移動や上方への移動を規制できる状態に支持体を容易に設置できる。
【０００９】
本発明にかかる物品収納棚の第２特徴構成は、第１特徴構成において、前記支持体が、板状体を屈曲形成して前記棚前後方向視で下方が開放されたコ字状に形成されている点にある。
【００１０】
すなわち、支持体を、棚前後方向視で下方が開放されたコ字状に形成されているため、支持体の強度を高めることができるとともに、板状体を屈曲形成して支持体を形成するため、支持体を形成し易く、支持体の製造コスト、引いては物品収納棚の製造コストを抑えることができる。
【００１１】
本発明にかかる物品収納棚の第３特徴構成は、第１又は第２特徴構成において、前記支持体が、棚横幅方向の幅が支持する物品の横幅より小さく形成され、前記支持棚が、前記棚横幅方向に隣接する支持体同士の間隔が支持する物品の横幅より狭い間隔で前記支持体を棚横幅方向に複数並設して、複数の前記支持体により物品を支持するように構成されている点にある。
【００１２】
すなわち、支持体の棚横幅方向の幅を物品の横幅より小さく形成することで、物品の下面全体を載置支持ように物品の横幅より大きく形成したものに比べて支持体が小型軽量なものとなり、支持体のコストを抑えることができるとともに支持体が設置し易くなる。また、支持体は小型であるものの複数の支持体により物品を支持することで、物品を安定よく支持することができる。
【００１３】
本発明にかかる物品収納棚の第４特徴構成は、第３特徴構成において、前記水平材が、前記開口部、前記被係合部及び前記被接当部の夫々を棚横幅方向に複数備え、前記支持体を棚横幅方向の任意の箇所に設置自在に構成されている点にある。
【００１４】
すなわち、支持体の設置箇所を棚横幅方向の任意の箇所に設置自在に構成されているため、例えば、支持体を棚横幅方向に密に設置して、棚横幅方向の何れの箇所でも物品を収納自在として物品収納棚の収納効率を高める、または、物品の棚横幅方向の幅に応じて支持体を設けて必要最小限の支持体を設けて物品収納棚の軽量化を図る等、目的に応じて支持体の設置位置を自在に変更することができるため、物品収納棚の使い勝手がよいものとなる。
【００１５】
本発明にかかる物品収納棚の第５特徴構成は、第１〜第４特徴構成のいずれか１つにおいて、前記支持棚が、当該支持棚の前方側を棚横幅方向に沿って走行移動する状態で上下方向に複数設けられた物品搬送台車の夫々に対応する状態で、上下方向に複数設けられ、前記一対の水平材の一方が、棚横幅方向視で前記棚前後方向の前方側が開放されたコ字状に形成されて前記支持棚の前端部に設けられ、且つ、前記係合部に係合した前記係合部より下方に、前記物品搬送台車に対して電力を供給する給電線が設けられている点にある。
【００１６】
すなわち、上下方向に複数設けられた物品搬送台車の夫々に対応する状態で支持棚が上下方向に複数設けられているため、１台の物品搬送台車に対して複数の支持棚を設ける場合に比べて物品を効率よく搬送することができる。
そして、一方の水平材を利用して給電線が設けられているため、給電線を支持するための部材を別途設ける必要がなく物品収納棚の構成の簡素化を図ることができる。しかも、給電線は係合部より下方に位置しているため、支持体を設置するときに支持体の一端部が給電線に干渉することを回避することができる。
【図面の簡単な説明】
【００１７】
【図１】自動倉庫の斜視図
【図２】物品収納棚の斜視図
【図３】物品収納棚の平面図
【図４】物品搬送台車の正面図
【図５】支持フレームの形成前と形成後を示す図
【図６】支持フレームの設置の手順を示す図
【図７】支持フレームとビーム材との分解斜視図
【図８】支持フレームと前ビーム材との大小関係を示す図
【発明を実施するための形態】
【００１８】
以下、本発明の物品収納棚を自動倉庫に適用した場合における実施形態を図面に基づいて説明する。
図１に示すように、自動倉庫には、物品Ｗを収納する物品収納棚１と、物品収納棚１の前方側を棚横幅方向に沿って走行移動する物品搬送台車２とが設けられている。
物品収納棚１には、物品支持用の支持棚３と、その支持棚３に対して棚横幅方向に並設された中継コンベヤ４とが設けられている。支持棚３は、上下方向に複数設けられており、物品搬送台車２及び中継コンベヤ４は、支持棚３に対応する状態で上下方向に複数設けられている。
そして、物品搬送台車２の走行作動及び物品搬送台車２に備えられた移載装置５の移載作動により、支持棚３と中継コンベヤ４との間で物品Ｗを搬送するように構成されている。
【００１９】
要するに、物品搬送台車２は、支持棚３の前方側を棚横幅方向に沿って走行移動する状態で上下方向に複数設けられており、支持棚３は、物品搬送台車２の夫々に対応する状態で上下方向に複数設けられている。そして、支持棚３が設けられている各段夫々において、物品搬送台車２にて中継コンベヤ４から支持棚３に物品Ｗを搬送して物品収納棚１に物品Ｗを収納し、物品搬送台車２にて支持棚３から中継コンベヤ４に物品Ｗを搬送して物品収納棚１から物品Ｗを取り出すように構成されている。
【００２０】
また、自動倉庫には、複数の中継コンベヤ４と入出庫コンベヤ（図示せず）との間で物品Ｗを搬送するリフト装置７が設けられている。物品搬送台車２にて中継コンベヤ４に取り出された物品Ｗは、リフト装置７にて入出庫コンベヤに搬送され、入出庫コンベヤにて外部から搬入された物品Ｗは、リフト装置７にて収納対象の支持棚３に対応する中継コンベヤ４に搬送するようになっている。
【００２１】
図２に示すように、物品収納棚１は、支柱枠１３を棚横幅方向に複数並設し、棚横幅方向に隣接する支柱枠１３に亘って物品支持用の支持棚３を架設して構成されており、物品収納棚１には、支持棚３が上下方向及び棚横幅方向に複数設けられている。
支柱枠１３は、床面上に立設された前後一対の支柱１１と、前後一対の支柱１１に亘って連結された傾斜姿勢の梁材１２とでトラス構造に構成されている。
【００２２】
次に、支持棚３について説明する。
図２及び図３に示すように、支持棚３は、当該支持棚３における棚前後方向の前端部及び後端部に設けられた前後一対の水平材としてのビーム材１６と、前後一対のビーム材１６に亘って架設された支持体としての支持フレーム１７とを備えて構成されており、梯子状に形成されている。
尚、前後一対のビーム材１６のうち、支持棚３の前端部１７ａに設けられた一方については前ビーム材１６ａと称し、支持棚３の後端部１７ｂに設けられた他方については後ビーム材１６ｂと称する。
【００２３】
前ビーム材１６ａは、その長手方向の両端部夫々が前側の支柱１１に連結されており、棚横幅方向に隣接する一対の前側の支柱１１に亘って設置されている。後ビーム材１６ｂは、その長手方向の両端部夫々が後側の支柱１１に連結されており、棚横幅方向に隣接する一対の後側の支柱１１に亘って設置されている。
【００２４】
そして、図６に示すように、支持フレーム１７の棚前後方向の両端部に、ビーム材１６の被係合部２０に対して上方側から係合する係合部１９を備えて構成されており、支持フレーム１７の前端部１７ａに備えられた係合部１９を前ビーム材１６ａの被係合部２０に係合し、支持フレーム１７の後端部１７ｂに備えられた係合部１９を後水平材の被係合部２０に係合することで、支持フレーム１７を支持棚３に装着するように構成されている。
【００２５】
図５に示すように、支持フレーム１７は、板状体（図５（ａ）参照）を屈曲形成して棚前後方向視で下方が開放されたコ字状に形成（図５（ｂ）参照）されており、このように形成された支持フレーム１７は、その棚横幅方向での幅が棚前後方向での幅及び支持する物品Ｗの横幅より小さく形成されている。また、図１に示すように、棚横幅方向に隣接する支持フレーム１７同士の間隔が支持する物品Ｗの横幅より狭い間隔で支持フレーム１７を棚横幅方向に複数並設して、複数の支持フレーム１７により物品Ｗを支持するように構成されている。
【００２６】
図４に示すように、前ビーム材１６ａは、棚横幅方向視で前方側が開放されたコ字状に形成されており、この前ビーム材１６ａの被係合部２０に係合した支持フレーム１７の前係合部１９ａより下方に、物品搬送台車２に対して電力を供給する給電線８が設けられており、係合部１９と給電線８とが干渉しないようになっている。
そして、物品搬送台車２に設けられている集電子９が、前ビーム材１６ａに形成された開口から挿入されており、物品搬送台車２は、給電線８及び集電子９により供給された電力により走行移動し且つ移載装置５が移載作動するように構成されている。
【００２７】
〔係合構造〕
図５及び図８に示すように、支持フレーム１７の前端部１７ａは、物品Ｗを載置支持する中間部１７ｃから前方側に突出する形状に形成されており、棚横幅方向に並ぶ一対の縦姿勢の板状部分にて構成されている。そして、支持フレーム１７の前端部１７ａに、上方に凹入する形状に形成された係合部１９（以下、前係合部１９ａと称する）を備え、前端部１７ａにおける前係合部１９ａより先端側の箇所に接当部２１を備えて構成されている。
支持フレーム１７の後端部１７ｂは、一対の縦姿勢の板状部分が中間部１７ｃより短いコ字状に形成されており、一対の縦姿勢の板状部分にて係合部１９（以下、後係合部１９ｂと称する）が構成されている。
【００２８】
図６及び図８に示すように、前ビーム材１６ａは、支持フレーム１７を挿入用傾斜姿勢とした状態で当該支持フレーム１７の前端部１７ａを斜め上方から挿入自在に形成され且つ上下方向での大きさが水平姿勢の支持フレーム１７の前端部１７ａの上下幅より小さく形成された開口部としての前スリット２３と、支持フレーム１７の前端部１７ａを前スリット２３に挿入した状態で支持フレーム１７を挿入用傾斜姿勢から水平姿勢に姿勢変更させるに伴って前係合部１９ａが係合し且つ当該係合により支持フレーム１７の水平方向への移動を規制する被係合部２０（以下、前被係合部２０ａと称する）と、前被係合部２０ａに前係合部１９ａが係合した状態で接当部２１が下方から接当することで支持フレーム１７の上方への移動を規制する被接当部２２とを備えて構成されている。
尚、挿入用傾斜姿勢とは、図６（ａ）に示すように支持フレーム１７の上面が棚前後方向の前方側ほど下方に位置するように支持フレーム１７を傾斜させた姿勢である。また、水平姿勢とは、図６（ｂ）に示すように支持フレーム１７の上面が水平となる姿勢であり、支持棚３に設置されている支持フレーム１７の姿勢である。
【００２９】
図６及び図７に示すように、前スリット２３は、前ビーム材１６ａにおける上壁部分から縦壁部分に亘って棚前後方向及び上下方向に沿う形状に形成されている。そして、前スリット２３は、前ビーム材１６ａに棚横幅方向に沿って等間隔で複数形成されており、支持フレーム１７は、隣接する２つの前スリット２３に前端部１７ａを挿入して係合するように構成されている。
【００３０】
図８に示すように、前スリット２３の上下方向の幅Ｌ１は、水平姿勢の支持フレーム１７における前端部１７ａの上下方向の幅Ｌ３より狭く形成されている。また、前スリット２３の下端縁から前端縁までの幅Ｌ２は、挿入用傾斜姿勢の支持フレーム１７における前端部１７ａの上下方向の幅Ｌ３より広く形成されている。
そのため、支持フレーム１７が水平姿勢とした状態では、支持フレーム１７の前端部１７ａを前スリット２３に挿入することができず、支持フレーム１７を挿入用傾斜姿勢とした状態では、支持フレーム１７の前端部１７ａを斜め上方から前スリット２３に挿入できるようになっている。
ちなみに、前スリット２３の下端縁から前端縁までの幅Ｌ２は、挿入用傾斜姿勢の支持フレーム１７における中間部１７ｃの上下方向の幅Ｌ４よりは狭く形成されている。
【００３１】
そして、図６に示すように、支持フレーム１７の前端部１７ａを前スリット２３に挿入した状態で支持フレーム１７を挿入用傾斜姿勢から水平姿勢に姿勢変更させることで、前係合部１９ａが前ビーム材１６ａの縦壁部分に係合する。つまり、前ビーム材１６ａの縦壁部分にて前被係合部２０ａが形成されている。
また、前スリット２３の棚前後方向の幅は、水平姿勢の支持フレーム１７における前端部１７ａの棚前後方向の幅より狭く形成されており、前係合部１９ａを前被係合部２０ａに係合している状態では、接当部２１の直上近傍に前ビーム材１６ａの上壁部分が位置している。そのため、接当部２１が前ビーム材１６ａの上壁部分に接当することで支持フレーム１７の前端部１７ａの前ビーム材１６ａに対する上方への移動が規制される。つまり、前ビーム材１６ａの上壁部分にて被接当部２２が形成されている。
【００３２】
後ビーム材１６ｂは、棚横幅方向視でロ字状に形成されており、後ビーム材１６ｂにおける上壁部分から前壁部分に亘って棚前後方向及び上下方向に沿う形状の後スリット２４が形成されている。そして、支持フレーム１７を挿入用傾斜姿勢から水平姿勢に姿勢変更させることで、後端部１７ｂが後ビーム材１６ｂの後スリット２４に挿入されて、後係合部１９ｂが後ビーム材１６ｂの前壁部分に係合するように後スリット２４が形成されている。つまり、後ビーム材１６ｂの縦壁部分にて後被係合部２０ｂが形成されている。
後スリット２４は、前ビーム材１６ａに棚横幅方向に沿って等間隔で複数形成されている。そして、支持フレーム１７は、隣接する２つの後スリット２４に後端部１７ｂを挿入して係合するように構成されている。
【００３３】
そのため、支持フレーム１７を設置する場合は、支持フレーム１７を挿入用傾斜姿勢とした状態で、支持フレーム１７の前端部１７ａを前ビーム材１６ａの前スリット２３に斜め上方から挿入した後、支持フレーム１７を挿入用傾斜姿勢から水平姿勢に姿勢変更させる。
このように支持フレーム１７を水平姿勢に姿勢変更させることで、支持フレーム１７の前端部１７ａに形成されている前係合部１９ａが前ビーム材１６ａの前被係合部２０ａに係合し、支持フレーム１７の後端部１７ｂに形成されている後係合部１９ｂが後ビーム材１６ｂの後被係合部２０ｂに係合して、支持フレーム１７が前ビーム材１６ａから後ビーム材１６ｂに亘る状態で設置される。
【００３４】
そして、支持フレーム１７は、前係合部１９ａが前ビーム材１６ａの縦壁部分に係合することで、支持フレーム１７が前ビーム材１６ａに対して棚前後方向や棚横幅方向に移動することが規制され、接当部２１が前ビーム材１６ａの上壁部分に接当することで、支持フレーム１７が前ビーム材１６ａに対して上方に移動することが規制されている。
また、支持フレーム１７は、後係合部１９ｂが後ビーム材１６ｂの前壁部分に係合することで、支持フレーム１７が後ビーム材１６ｂに対して棚横幅方向に移動することが規制されている。
【００３５】
〔別実施形態〕
（１）  上記実施形態では、板状体を屈曲形成して棚前後方向視でコ字状の支持体を形成したが、例えば複数の板状体を溶接により固着させて板状体を形成する等、板状体の形成方法は適宜変更してもよく、また、支持体の棚前後方向視での形状もＨ字状等の他の形状でもよい。
【００３６】
（２）  上記実施形態では、支持体の棚横幅方向の幅を物品Ｗの横幅より小さく形成し、棚横幅方向に隣接する支持体同士の間隔を物品Ｗの横幅より小さくなるように支持体を設置して、複数の支持体により物品Ｗを支持するように構成したが、支持体の棚横幅方向の幅を物品Ｗの横幅より大きく形成して、１つの支持体により物品Ｗを支持するように構成してもよい。
【００３７】
（３）  上記実施形態では、支持棚３を、上下方向に複数設けられた物品搬送台車２の夫々に対応する状態で、上下方向に複数設けたが、例えば、物品搬送台車２が、昇降台を備えて上下方向に並ぶ複数の支持棚３との間で物品Ｗを移載自在に構成されている場合等では、支持棚３を、１台の物品搬送台車２に対して上下方向に複数設けてもよい。
また、上記実施形態では、支持棚３を上下方向に複数設けたが、支持棚３を上下方向に１つだけ設けてもよい。
【００３８】
（４）  上記実施形態では、一方の水平材の内部空間に給電線８を設けたが、一方の水平材の下面に給電線８を設けてもよく、また、専用のレールに給電線８を設けてもよい。
【００３９】
（５）  上記実施形態では、物品収納棚を自動倉庫に適用したが、物品収納棚に対して作業者が人手で物品を出し入れするようなピッキング設備等、物品収納棚の適用箇所は適宜変更してもよい。
【符号の説明】
【００４０】
１    物品収納棚
２    物品搬送台車
３    支持棚
１６    水平材
１６ａ  一方の水平材
１６ｂ  他方の水平材
１７    支持体
１７ａ  一端部
１７ｂ  他端部
１９    係合部
２０    被係合部
２１    接当部
２２    被接当部
２３    開口部
【図１】
0005842721.tif 000002
【図２】
0005842721.tif 000003
【図３】
0005842721.tif 000004
【図４】
0005842721.tif 000005
【図５】
0005842721.tif 000006
【図６】
0005842721.tif 000007
【図７】
0005842721.tif 000008
【図８】
0005842721.tif 000009